Podtech/llm-jp-corpus-v4-ja_patent huggingface dataset:
(57)【要約】【課題】  従来、狭い空間を好む猫の習性にそったハウス及び寝床が提供されてなかった。そのため猫は飼い主の意に反して思わぬところに潜り込み、引っかいたり、かじったり、また阻喪（そそう）をしでかすのであった。そのため猫と飼い主の関係もギクシャクする。そこで、猫の習性と行為の結果は猫のダンボール箱に封じ込めるよう処理し、さらにそのダンボール箱自体を遊ぶ玩具として、ひいては運動させる道具として猫と飼い主が楽しい関係にあるように導くことを目的とする。【解決手段】  上記目的を達成するために、サイコロが転がる原理に基づいてダンボール素材で形成した立方体において、その一面に猫の出入り穴を設けただけの簡単な構造によって解決する。【選択図】図３
2009247342.tif 000002
【特許請求の範囲】
【請求項１】
サイコロが転がる原理に基づいてダンボール素材で展開図や組み立て方に依存することなく形成した立方体の箱において、その一面に猫の出入り穴を設けた構造を特徴とする猫のダンボール箱。
【請求項２】
ダンボールの表面に絵を描いたりシールを貼ったり穴を開けたりして多様なイメージ装飾表現を備えたことを特徴とする請求項１記載の猫のダンボール箱。
【請求項３】
シンボルや図形など多様な形のデザインの猫の出入り穴を備えたことを特徴とする請求項１記載の猫のダンボール箱。
【発明の詳細な説明】
【技術分野】
【０００１】  本発明は、猫を飼うためのダンボール箱のハウス及び寝床（以下、猫ダンボール箱という）の姿および構造とそのあり方に関する。
【背景技術】
【０００２】  従来、狭い空間を好む猫の習性にそったハウス及び寝床が提供されていなかった。そのため猫は飼い主の意に反して思わぬところに潜り込み、引っかいたり、かじったり、また阻喪（そそう）をしでかすのであった。そのため猫と飼い主の関係もギクシャクする。
【発明の開示】
【発明が解決しようとする課題】
【０００３】  その従来の状況を脱却すべく、猫の習性と行為の結果は猫ダンボール箱に封じ込めるよう処理し、さらにそのダンボール箱自体を遊ぶ玩具として、ひいては運動させる道具として猫と飼い主が楽しい関係にあるように導くことを目的とする。
【課題を解決するための手段】
【０００４】  上記目的を達成するために、サイコロが転がる原理に基づいてダンボール素材で形成した立方体において、その一面に猫の出入り穴を設けただけの簡単な構造によって解決する。
【発明の効果】
【０００５】  本発明はダンボール素材を立方体に形成するだけでよく展開図及び組み立て方法には依存せず製造方法も制約しない。また使用上、汚れた、破損したなどのダンボール素材はその都度リサイクル処理できるのでマンションなど密閉度の高い住居でも清潔を保てる。さらに猫を入れたままサイコロのように転がして飼い主がじゃれあうなどにより猫はダンボール箱をハウス及び寝床としてより好むようになることが期待され、肥満猫の運動不足解消にも役立ちペットブームにも加速され産業上、十分な経済効果を想定できる。
【発明を実施するための最良の形態】
【０００６】  発明の実施の形態を図面を参照して説明する。図１は本発明の猫のダンボール箱の立体図である。猫ダンボール箱１はダンボール素材を展開図や組み立て構造に依存することなく立方体に組み上げたものでよく、その立方体の一面に開けた猫の出入り穴２で構成される。【０００７】  狭いところを好む猫の習性はよく知られたところであり、放置されたダンボール箱に入り込んでしまうことは多々ある。こういうダンボールは一般的に直方体であって、体勢を丸くして休む猫にとってはダンボール箱の角に偏って不安定に居場所を決める他なかった。立方体の猫ダンボール箱１では底辺が正方形であるため中央の位置にバランスよく猫の習性である体勢を丸くして休ませるようにできる。【０００８】  猫ダンボール箱１が、図１のごとくある場合には猫の出入り穴２が水平方向にあり、他の場合図２のごとく設置位置が変化し猫の出入り穴２が垂直方向上部に向き、さらに他の場合には猫の出入り穴２が床に接して塞がってしまう場合も含めて、猫が入ったままの猫ダンボール箱１である立方体をサイコロを転がすように扱い、中で転がる猫が起き上がろうとするのを、さらに転がすようにして飼い主が猫とじゃれあう玩具となす。しいては肥満猫のダイエットへ強制的に運動させる道具となす。
【実施例１】
【０００９】  図３は本発明を転がす玩具であるということをサイコロのイメージにするため賽の目を表現しようと装飾表現３を施した実施例である。この場合装飾表現は絵を描いたりシールを貼ったり穴をあけたりなどして、多様なイメージ表現を拒まない。
【実施例２】
【００１０】  図４は出入り穴を、異形猫の出入り穴４にした場合の実施例であり、出入り穴が他のシンボルや図形など多様なデザインであることを拒まない。
【産業上の利用可能性】
【００１１】  以上説明したごとく本発明は、従来の一般的な直方体のダンボール箱を立方体にして、その一面に出入り穴を設けるだけで居心地のよい猫の寝床になり、汚れたり破けたりすれば気安くリサイクル処分でき、マンションなど密閉度の高い部屋でも猫を清潔に飼うことの助けとなる。そして猫を入れたまま転がして飼い主が猫と一緒に遊ぶ玩具として、さらに肥満猫のダイエット道具として、ペット産業に新たな品目を提供する。
【図面の簡単な説明】
【００１２】
【図１】  猫ダンボール箱の立体図
【図２】  猫ダンボール箱の設置位置の異なる立体図
【図３】  サイコロのイメージを示す実施例の立体図
【図４】  異なる形状の出入り口を示す実施例の立体図
【符号の説明】
【００１３】  １  猫ダンボール箱
２  猫の出入り穴
３  装飾表現
４  異形猫の出入り穴
【図１】
2009247342.tif 000003
【図２】
2009247342.tif 000004
【図３】
2009247342.tif 000005
【図４】
2009247342.tif 000006
(57)【要約】【課題】    従来型にんにく醗酵装置は断熱庫内部の環境の均一が困難であり、十分に対応ができていなかった。又これらの条件の対応のため量産が出来なかった。【解決手段】    醗酵庫内部の空気、湿度環境に多少のばらつきがあっても、にんにく収納庫にバッフルプレートを取り付けることで均一な空気還流を得ることができ上記課題を解決、より質の高い製品の大量生産を可能にする。【選択図】なし【特許請求の範囲】
【請求項１】
生にんにくを収納する収納キャビネットを収納する断熱機能付醗酵庫
【請求項２】
上記醗酵庫の内部に取り外し可能なバッフルプレート（仕切り板）を装置し、このプレートの間にキャビネットを配置する醗酵装置。
【請求項３】
空気還流をする電気ファンを備えた醗酵装置。
【請求項４】
蒸気を通すパイプを醗酵庫内部に巡らした加熱装置を有する醗酵装置。
【請求項５】
加熱蒸気発生設備を備え、これにより加圧加湿する装置を備えた醗酵装置。
【発明の詳細な説明】
【技術分野】
【０００１】  本発明は、生にんにくの醗酵装置に関する。
【技術背景】
【０００２】  従来から、生にんにくを醗酵する手段として、断熱庫を用意し、公知の加熱装置、又は加湿装置を選択的に取り付け断熱庫内部に、にんにくを収納するキャスター付ラックを用いるなどして、醗酵していた。（例えば特許文献１参照）。
又、簡単な遠赤外線発生の蒸釜を利用して、にんにくを醗酵している。（例えば、特許文献２参照）
【０００４】
【特許文献１】  特開２００４−１２１１１３公報
【特許文献２】  特開２００５−３４１９１２公報
【発明の開示】
【発明が解決しようとする課題】
【０００５】  生にんにくの醗酵においては、醗酵条件として選択された温度及び湿度、時間が必要であることと、産業用として提供されるためには、均一商品の量産が課題となってくる。又にんにくは醗酵が始まると強烈なにんにく臭気が発生するため、場所を選ばず醗酵するためには、臭いはクリアしなければならない大きな問題点である。
現時点の技術においては上記いずれも解決がなされていない。【０００６】  又、醗酵につき、均一な醗酵商品を製造するためには、醗酵庫内部の空調の均一及び湿度の均一が最も重要な醗酵条件であり、課題である。しかしながら、前記公開の技術においては、これらの重要課題を解決してはいない。このため均一商品の量産技術が待たれていた。【０００７】  本発明は、上記課題に鑑みてなされたものであり、均一醗酵商品の大量生産可能な、醗酵装置を提供することを目的とするものである。
【課題を解決するための手段】
【０００８】  本発明に係る醗酵装置は、醗酵熟成度及び味覚又は薬理成分の温存度において、１００％満足の得られる醗酵ニンニクの省力化、大量生産化を意図しており、発明者らは従来装置の固定観念にとらわれず、まず断熱閉鎖系醗酵庫に公知の加熱機器／又は加湿機器、及び新規開発のにんにく醗酵用脱臭装置を設備し、互いにセンサーなどで連動する配電盤により自動コントロールにより薬理成分、味覚などにおいて従来装置では不可能であったにんにく醗酵装置を完成するに至った。【０００９】  すなわち、本発明の醗酵装置は、にんにくを醗酵させる温度及び湿度を保つための、最適環境を維持できる位置に配置できるキャビネット（収容棚）とキャビネットを配列するにんにく収容断熱庫から構成されている。又今回装置の最大特徴として、醗酵庫内部の空気調整の均一を図るために考案されたバッフルプレートを装着していることである。【００１０】  本発明は、前記従来工法の課題、すなわち醗酵庫内部空気調節の不具合、量産できない、脱臭が十分でないことを解決している。【００１１】  醗酵庫内部の空気調和については、本発明の最も特徴とする装置バッフルプレート（図面▲１１▼）は、庫内の均一な空気調制を図るための仕切り板で、にんにく収容ラックに均一にムラ無く空気を調整できる装置である。【００１２】  上記、送風又は吸気装置についてその風量は、醗酵庫の容量に基づいて計算する事ができる。
【産業上の利用の可能性】
【００１３】  醗酵ニンニクは、最近大学や学術研究又は病院の臨床試験により、多様な疾患に効果し、副作用のない理想的な保健食品であることがわかってきた。増え続ける生活習慣病に対応するために、本発明による、大量生産可能な醗酵ニンニク自動醗酵装置は、社会に貢献する可能性が大きい。
【図面の簡単な説明】
【００１４】
【図１】本発明のにんにく醗酵装置の全体図
【符号の説明】
１．チューブラーヒーター
２．加熱ボイラー
３．加湿スプレー配管
４．加湿ボイラー
５．給排気ファン
６．還流配管
７．コロコン
８．台車
９．パレット
１０．コンテナ
１１．バッフルプレート
【図１】
2009247335.tif 000002
(57)【要約】【課題】  喫煙時に周囲に広がる煙、特にその中でも有害とされる副流煙を外部に漏らすことを最小限におさえつつ、普通に近い感覚で市販のタバコが吸える携帯喫煙清浄器を提供する。【解決手段】  タバコをパイプで密封し副流煙を封じ込め、タバコの人間の口から吐き出される風圧を利用し主流煙、副流煙共に活性炭フィルターを通すことによって、タバコの煙が周囲に拡散する量を最小限に抑えることを特徴とする携帯喫煙清浄器。【選択図】図１
2009247338.tif 000002
【特許請求の範囲】
【請求項１】
タバコ取り付けパイプにアミを入れ、空気弁とともに、筒に取り付けバネで固定し、空気弁とタバコ取り付けパイプをレバーでつなぎ、排気パイプを筒のタバコ側に取り付け、筒の排気口側に活性炭フィルター、芳香剤フィルターを取り付けること。以上を特徴とする携帯喫煙空気清浄器。
【発明の詳細な説明】
【技術分野】
【０００１】  本発明は、喫煙の際出る主流煙、副流煙を濾過し、外に出すことを最小限におさえ、灰、吸殻も格納することを目的とした携帯喫煙清浄器に関するものである。
【背景技術】
【０００２】  従来、喫煙する際、主流煙、副流煙が発生し、喫煙者のみならず周りにいる非喫煙者にまで煙による害を与えることが問題視されている。そのため分煙化の傾向があるが、それだけでは十分でないようである。
なお、副流煙を囲い込み、一時的に拡散するのを防止する案が知られている（特許文献１）
【特許文献１】  登録実用新案第３１１９４８６号広報
【発明の開示】
【発明が解決しようとする課題】
【０００３】  そのために、次のような問題点があった。
（イ）タバコに火をつけると発生する煙（主流煙、副流煙）が非喫煙者にまで健康被害を与えてしまい、社会問題視されている。
（ロ）一般的な携帯灰皿では煙を除去することができない。
（ハ）携帯する空気清浄器がない。
（ニ）市販の空気清浄機は高価である。
本発明は以上の問題点を解決しようとするものである。
【課題を解決しようとするための手段】
【０００４】  タバコ取り付けパイプにアミを入れ、空気弁とともに、筒に取り付けバネで固定する。空気弁とタバコ取り付けパイプをレバーでつなぐ。排気パイプを筒のタバコ側に取り付ける。筒の排気口側に活性炭フィルター、芳香剤フィルターを取り付けること。以上を特徴とする携帯喫煙空気清浄器である。
【発明の効果】
【０００５】  本発明は、安価で空気清浄でき、喫煙者が周囲に煙、灰、吸殻で迷惑をかけることを、最小限におさえることができるので禁煙場所を除き、喫煙エリアを広くすることができる。例えば休憩時間に喫煙者と嫌煙者が会話を楽しむことができるなど、双方に有益である。
【発明を実施するための最良の形態】
【０００６】  以下、本発明の実施の形態を説明する。
（イ）タバコ取り付けパイプ（１）にアミ（６）を入れ、空気弁（１０）とともに、筒（８）に取り付けバネ（９）で固定する。
（ロ）空気弁（１０）とタバコ取り付けパイプ（１）をレバー（３）でつなぐ。
（ハ）排気パイプ（４）を筒のタバコ側に取り付ける。
（ニ）筒（８）の排気口（１４）側に活性炭フィルター（１２）、芳香剤フィルター（１３）を取り付ける。
本発明は、以上の構成よりなっている。
実際これを使用するときは、タバコをタバコフィルターくわえ部から差込み、タバコを吸わないときは、空気弁はバネの圧で押さえられ空気取り込み口を塞ぐ位置に来るため、筒の中の空洞部に副流煙が封じ込められる。タバコを吸うときは、レバーを引くことによって外気が取り込まれる。排気パイプを通し、口に含んだ煙を筒の空洞部に送り出す。吐き出す息の風圧で主流煙、空洞部の副流煙ともども排気口の出口に取り付けられた活性炭フィルター、芳香剤フィルターを通り排気される。灰と吸殻はアミに収まり外部に飛散することなく格納される。
【図面の簡単な説明】
【０００７】
【図１】本発明の断面図
【図２】本発明の斜視図
【符号の説明】
【０００８】１  タバコ取り付けパイプ
２  タバコフィルターくわえ部
３  レバー
４  排気パイプ
５  噴出し口
６  アミ
７  空気取り込み口
８  筒
９  バネ
１０  空気弁
１１  空洞部
１２  活性炭フィルター
１３  芳香剤フィルター
１４  排気口
１５  タバコ
【図１】
2009247338.tif 000003
【図２】
2009247338.tif 000004
(57)【要約】【課題】布団を小さく分割し、組み立てる事により、家庭用洗濯機でも容易に丸洗いする事ができる  クッション・布団を提供する。【解決手段】家庭用洗濯機に入るような大きさに容易に６〜８個に分割し丸洗いでき、あるいは、特に汚れた箇所のみを容易に取り外し洗濯でき、又組み立てるのが楽な、分割できるクッション・布団で、クッションとしても使用でき、繋いで大きくしカバーをかけて敷き布団としても掛け布団として利用できる。【選択図】図１
2009247862.tif 000002
【特許請求の範囲】
【請求項１】
家庭用洗濯機で丸洗いできる大きさに分割したクッション・布団。
【請求項２】
布団の分割・組立が容易にできる請求項１記載のクッション・布団。
【請求項３】
汚れた部分のみを外し家庭用洗濯機で洗える幼児、身障者、高年齢者・寝たきりの患者・老人に最適の請求項１〜２のいずれか１項に記載のクッション・布団。
【発明の詳細な説明】
【技術分野】
【０００１】  本発明は、着脱型のクッションと布団を家庭用の洗濯機で洗える大きさに分割した洗濯に関するものである。
【背景技術】
【０００２】  従来は、一般的には布団は大きく洗濯機で洗う事も、干す事も大変であり、大型の洗濯機でなければ洗濯は家庭では無理であり、専門の業者に頼む以外方法はなかったため、洗濯料金も高く、結果として干すだけとなり、汚れはそのままの状態であり、不衛生でダニ等の発生の原因になった。近年布団を薄く数分割し、洗濯機で洗える方法なども考案され特許等も出願されている。
次のような特許公開、実用新案登録されている。
【特許文献１】  特許公開２００７−３７９３４号公報。
【非特許文献１】  実用新案登録３１２５２２７号公報。
【発明の開示】
【発明が解決しようとする課題】
【０００３】  それには次のような問題点があった。
大きい布団は  洗濯又は干すことが問題であり、特に布団の洗濯は大きいため家庭内の洗濯機では無理であり、又、高齢者、身障者にとっては一人では絶対に持ち運びなども無理であり、結局は家庭内の洗濯機では洗えなく、専門の業者に依頼するしかなく、費用がかかり経済的負担も大きい、故にこれらを解決するためには、布団を洗濯機で洗える大きさに分割するしかなく、分割した布団はクッションとしても使用でき、又組み立ててカバーをかけ布団にすることを考え前述の問題点を解決しようとするものである。
【課題を解決するための手段】
【０００４】  上述の様に、本考案の着脱式クッション・布団を６〜８分割にしたクッション・布団を設け、その分割した各クッション・布団にマジックテープ（商標登録）を正方形又は長方形等の各種形状の４隅の台形部の縁の適所箇所と中心部付近を囲むように貼り、洗濯後は単体としてはクッションとして使用する事もでき又洗濯した各クッション・布団を図１のように連続につなぎ、貼り合わせ１枚の普通サイズの敷布団又は掛け布団に全てマジックテープ（商標登録）でつなぎ合わせ、カバーを掛けて布団とし問題点を解決している。
【発明の効果】
【０００５】  家庭用洗濯機で水洗い、丸洗いができる大きさに分割ができ、特に汚れた箇所のみを洗う事ができる幼児、高齢者、寝たきり患者・老人に最適のクッション・布団で、手軽に分割、組立ができ常時清潔なクッション・布団の効果が期待できる。
【発明を実施するための最良の形態】
【０００６】  以下、本発明の実施の形態を説明する。
本考案の着脱式クッション・布団１を６〜８分割にしたクッション・布団２を設け、その分割した各クッション・布団２にマジックテープ（商標登録）３を正方形又は長方形等の各種形状の中央部付近、４隅の台形部の縁の適所箇所に貼り、各クッション・布団２を図１のように連続につなぎ、貼り合わせ１枚の普通サイズのクッション・布団１とし、全てマジックテープ（商標登録）でつなぎ合わせ問題点を解決している。布団１は敷布団又は掛け布団として利用でき、又敷布団は幼児、高齢者、患者用としては、汚れた中央部が簡単に着脱できるので、その部分を取りはづし洗濯でき常時清潔を保持できる。
本発明は、以上の構成よりなっている。
【図面の簡単な説明】
【０００７】
【図１】  本発明のクッション・布団の平面図。
【図２】  本発明のクッション・布団の正面図
【図３】  本発明のクッション・布団の１部を拡大した正面図。
【図４】  本発明の分割した１個のクッション・布団の平面図。
【図５】  本発明の分割した１個のクッション・布団の正面図。
【符号の説明】
【０００８】    １  クッション・布団
２  分割したクッション・布団
３  マジックテープ（商標登録）
【図１】
2009247862.tif 000003
【図２】
2009247862.tif 000004
【図３】
2009247862.tif 000005
【図４】
2009247862.tif 000006
【図５】
2009247862.tif 000007
(57)【要約】【課題】本発明は、入浴のとき洗い場で使用する腰掛の、快適性と安全性を向上させた浴用腰掛台を提供する。【解決手段】長方形板の長手方向の一端部を折り曲げて脚部を形成し、他端方向に切り込みを設けることによって、くし形に形成した先端を折り曲げて、前記脚部と同一長さの脚部を形成した椅子２個を組み合わせたことを特徴とする浴用腰掛台。【選択図】図１
2009247861.tif 000002
【特許請求の範囲】
【請求項１】
長方形板の長手方向の一端部を折り曲げて脚部を形成し、他端方向に切り込みを設けることによって、くし形に形成した先端を折り曲げて前記脚部と同一長さの脚部を形成した椅子２個を組み合わせたことを特徴とする浴用腰掛台。
【発明の詳細な説明】
【技術分野】
【０００１】  本発明は、入浴のとき洗い場で使用する腰掛の快適性と安全性を向上させるための、浴用腰掛台に関するものである。
【背景技術】
【０００２】  従来、入浴のとき洗い場で使用する腰掛台は、小型の腰掛が中心であったが、近年は家庭でも背が高く台座の大きなものが使用されている。
【発明の開示】
【発明が解決しようとする課題】
【０００３】  そのために、次のような問題点があった。
（イ）家庭用の風呂の洗い場での大きな腰掛台は、普段は邪魔である。
（ロ）しかし、肥満の人が小型の腰掛台に無理に腰掛けるのは不快であり、風呂の洗い場はシャンプー等で滑りやすく、身体の大きさに合わない腰掛台は危険である。
本発明は以上の問題点を解決しようとするものである。
【課題を解決するための手段】
【０００４】  長方形板の長手方向の一端部を折り曲げて脚部を形成し、他端方向に切り込みを設けることによって、くし形に形成した先端を折り曲げて、前記脚部と同一長さの脚部を形成した椅子２個を組み合わせたことを特徴とする浴用腰掛台である。
【発明の効果】
【０００５】  くし形の形状の脚部をもつ椅子２個を相互に組み合わせて、腰掛部分が伸び縮みする１個の腰掛台としたことにより、縮めたときの大きさは，従来の腰掛台より小さくなり、洗い場で邪魔にならない。
また、身体の大きさに合わせて、２個の椅子をスライドして腰掛部分の幅が調節でき、肥満の人も誰にも迷惑をかけず、快適で安全な入浴ができる。
【発明を実施するための最良の形態】
【０００６】  以下、本発明の実施の形態について説明する。
（イ）椅子本体（１）は長方形板の長手方向の一端部を折り曲げて板状の脚部（３）を形成し、他端方向に切り込み（２）を設けることによって、くし形に形成した先端を折り曲げて、板状の脚部（３）と同一長さのくし形の脚部（３ａ）を形成する。
（ロ）浴用腰掛台は、本体（１）を２個、組み合わせて大きな台座部（４）を形成する。
本発明は以上のような構造で、これを使用するときは２個の椅子本体（１）を相互にスライドして、台座部（４）を身体の大きさに合った幅に調節して使用する。
【図面の簡単な説明】
【０００７】
【図１】本発明の、任意の脚の数で描いた、椅子の斜視図
【図２】本発明の、任意の脚の数で描いた、浴用腰掛台の斜視図
【符号の説明】
【０００８】１    本体
２    切り込み
３    板状の脚部
３ａ  くし形の脚部
４    台座部
【図１】
2009247861.tif 000003
【図２】
2009247861.tif 000004
(57)【要約】【課題】靴に取り付ける、靴の名札具を提供する。【解決手段】名札にリバーシブル機能をもたせ裏面に反射板を使用し、鈴付の着脱リングを躍動自在に装着し、固定具を用いて靴のヒールストラップ部や靴紐部に取り付ける事を特徴とする靴の名札具。【選択図】図１
2009247864.tif 000002
【特許請求の範囲】
【請求項１】
名札にリバーシブル機能をもたせ裏面に反射板を使用し、鈴付の着脱リングを躍動自在に装着し、固定具を用いて靴のヒールストラップ部や靴紐部に取り付ける事を特徴とする靴の名札具。
【発明の詳細な説明】
【技術分野】
【０００１】  本発明は、靴を脱いだ際の、靴の紛失、間違えを防止し、靴を履いて歩行した際、迷子などを防止する、靴の名札具に関するものである。
【背景技術】
【０００２】  従来、多くの人が集まる場所で靴を脱いだ際、自靴を見つける事が困難であった。また、乳幼児や、知的障害者は、迷子の際自分で名乗ることができない。
【発明の開示】
【発明が解決しようとする課題】
【０００３】靴を間違えて履いたり、紛失したり、迷子の際名前がわからない問題点を解決しようとするものである。
【課題を解決するための手段】
【０００４】  名札にリバーシブル機能をもたせ裏面に反射板を使用し、鈴付の着脱リングを躍動自在に装着し、弾性紐や安全ピンなどの固定具を用いて靴のヒールストラップ部や靴紐部に取り付ける事を特徴とする靴の名札具。
【発明の効果】
【０００５】自靴を見つけやすくする事により、間違え、紛失を予防し、迷子の際、名前をわかりやすくし、リバーシブル機能を用いて、反射板面を使用の際は、プライバシーの保護と共に、車両より、使用者の安全を図るものである。
【発明を実施するための最良の形態】
【０００６】  以下、本発明の実施の形態を説明する。
（１）は、靴に名札を固定する安全ピンもしくは弾性紐からなる固定具で、（２）は、名前や連絡先を記入する名札表で、（３）の鈴は、着脱リング（４）に取り付ける。
（５）は、プライバシー保護と、車両より安全を図るため、リバーシブル機能を用いた際の、名札裏面反射板である。
本発明は靴使用時、靴のヒールストラップ部や、靴紐部などに、靴の名札具を取り付けて使用する。
【図面の簡単な説明】
【０００７】
【図１】  本発明の後方からみた取付状態図
【図２】  本発明の正面図
【図３】  本発明の取付状態を示す斜視図
【符号の説明】
【０００８】１  固定具
２  名札表
３  鈴
４  着脱リング
５  名札裏面反射板
６  ヒールストラップ
７  靴紐
【図１】
2009247864.tif 000003
【図２】
2009247864.tif 000004
【図３】
2009247864.tif 000005
(57)【要約】【課題】洗濯物を収納する洗濯物分別用具であって、洗濯ネットによる仕分け機能とネームシールによる種類判別機能をつけた洗濯物分別用具である。【解決手段】  洗濯かごの上ふちの相対する位置に着脱自在な複数のボルトを設け、ボルトの外側に衣類の種類を記入するネームシールを設け、洗濯かごの内側に設置した洗濯ネットの両先端に輪状のひもを設けてボルトの頭に引掛けたことを特徴とする洗濯物分別用具。【選択図】図１
2009247865.tif 000002
【特許請求の範囲】
【請求項１】
洗濯かごの上ふちの相対する位置に着脱自在な複数のボルトを設け、ボルトの外側に衣類の種類を記入するネームシールを設け、洗濯かごの内部に設置した洗濯ネットの両先端に輪状のひもを設けてボルトに引掛けたことを特徴とする洗濯物分別用具。
【発明の詳細な説明】
【技術分野】
【０００１】  本発明は、洗濯かごにボルトを取り付け、洗濯ネットに輪状のひもをつけて引掛け、それぞれの洗濯物を分別する機能をつけた洗濯物分別用具に関するものである。
【背景技術】
【０００２】  従来、汚れた洗濯物は、洗濯かごから洗濯ネットへ同じアイテムごとに仕分けしてから洗濯機へ入れていた。
なお、複数の洗濯ネットが連結し、仕分け機能のついた洗濯物分別用具が知られている。（特許文献１）。
【特許文献１】  特開平５−００２４９１号公報、特開平２００１−４６７８３号公報、特開２００４−２７５６６０号公報
【発明の開示】
【発明が解決しようとする課題】
【０００３】    そのために、次のような問題点があった。
（イ）脱いだ洗濯物を洗濯ネットに入れるのが困難であった。
（ロ）複数の人数で使用するとき、どの洗濯ネットに入れるのか判断しにくかった。
（ハ）白物と色柄物に分けて洗うのが困難であった。
本発明は以上の問題点を解決しようとするものである。
【課題を解決するための手段】
【０００４】  洗濯かごの上ふちの相対する位置に着脱自在なボルトを設け、ボルトの外側に衣類の種類を記入するネームシールを設け、洗濯かごの内側に設置した洗濯ネットの両先端に輪状のひもを設けてボルトに引掛けるように構成した洗濯物分別用具である。
【発明の効果】
【０００５】  本発明は、洗濯かごと洗濯ネットにより、脱衣後の衣服を素早く且つ容易に整理・収納し、洗濯かごから洗濯ネットを外して洗濯が可能である。洗濯ネットはそれぞれが連結していない為、分けて洗うことが可能となる。また洗濯物の種類を記入することにより、複数の人数でも分かり易く、使用し易い。従って雑になりがちな洗濯かごの中を整理でき、洗濯時に洗濯かごから洗濯ネットへ分別する時間も短縮できる。
【発明を実施するための最良の形態】
【０００６】  以下、本発明の実施の形態を説明する。
（イ）かご（１４）の上ふち（１）に穴（２）を設ける。
（ロ）穴（２）にボルト（３）をはめ込み、穴（２）の下部よりナット（６）の雌ねじ（７）をボルト（３）の雄ねじ（５）に回転させ、固定する。
（ハ）衣類の種類を記したシール（１２）をボルト（３）の外側に横設させ、かご（１４）の上ふち（１）または持ち手（１１）に貼り付ける。
（ニ）ネット（８）の先端に補強のための布（９）を設け、さらにその先端にひも（１０）を設ける。
尚、これらをネット（８）を中心に対向して設けることとする。
本発明は、以上の構成よりなっている。
本発明を使用するときは、ボルト（３）の頭（４）にひも（１０）をくぐらせ、かご（１４）にネット（８）を固定し、スライドファスナー（１３）を開き、洗濯物を入れる。洗濯する時は、洗濯物を入れたネット（８）のスライドファスナー（１３）を閉じ、ボルト（３）からひも（１０）を外し、洗濯機へ入れる。
尚、穴（２）は（２ａ）（２ｂ）と２箇所ずつ設け、ネット（８）の状態により張り具合を調節できるようにする。
【図面の簡単な説明】
【０００７】
【図１】  本発明の斜視図
【図２】  ボルトの取付状態を示した図
【符号の説明】
【０００８】  １    上ふち
２ａ  穴
２ｂ  穴
３    ボルト
４    頭
５    雄ねじ
６    ナット
７    雌ねじ
８    ネット
９    布
１０  ひも
１１  持ち手
１２  シール
１３  スライドファスナー
１４  かご
【図１】
2009247865.tif 000003
【図２】
2009247865.tif 000004
(57)【要約】      （修正有）【課題】マイクロモーターをペンシルハンドで持ったり置いたりする作業を、円滑に行うためのマイクロモーター用スタンドを提供する。【解決手段】台６の上部にＵ字形状の支持板５を設け、この支持板５の上部に、一対の半円筒体１ａ、１ｂの一端同士をヒンジ２により組み合わせ、ヒンジ２の逆側の端部同士が開口した保持部１にマイクロモーター通し、ヒンジを押し、保持部が閉じた状態にすることによりマイクロモーターを保持する構成とする。【選択図】図１
2009247863.tif 000002
【特許請求の範囲】
【請求項１】
台の上部にＵ字形状の支持板を設け、この支持板の上部にヒンジを介して半円筒状の保持部を開閉自在に設けたことを特徴とするマイクロモーター用スタンド。
【発明の詳細な説明】
【技術分野】
【０００１】  本発明は、マイクロモーターをペンシルハンドで持ったり置いたりする作業を、円滑に行うためのマイクロモーター用スタンドである。
【背景技術】
【０００２】  従来、ペンシルハンド用のスタンドとしては、Ｕ字形の保持部にはめ込む型があった（実公、昭５０−５６７５）。また、保持部の一端が延設されている型もあった（実開、昭５６−１５２６１２）。
【発明の開示】
【発明が解決しようとする課題】
【０００３】  従来のペンシルハンド用のスタンドは、適応するマイクロモーターがその太さ（直径）で限定されていて、マイクロモーターが太くても細くてもうまく納まらなかった。また、スタンドに納める時の動線も限られていて、自由度が少なかった。
更に、樋状（Ｕ字形）で挟む形では、保持されていない部分に上方から力が加わった時に安定性に問題があった。
【課題を解決するための手段】
【０００４】  台の上部にＵ字形状の支持板を設け、この支持板の上部にヒンジを介して半円筒状の保持部を開閉自在に設けたことを特徴とするマイクロモーター用スタンドである。
【発明の効果】
【０００５】  本発明は、マイクロモーターをペンシルハンドで使用する際に筒状の保持部が上方に開き、内径も変えられるため、置くだけでマイクロモーターが固定される。従って、マイクロモーターの種類に関係なく使用できる。また、作業時の動線の制約も少ない。
【発明を実施するための最良の形態】
【０００６】  以下、本発明の実施の形態を説明する。
（イ）マイクロモーターを挟持するための一対の半円筒体（１ａ）（１ｂ）を筒状に組み合わせ、保持部（１）を形成、一端同士をヒンジ（２）で連結する。
（ロ）保持部（１）のヒンジ（２）と逆側の端部同士を上方開口し、一本のマイクロモーターが通る程度の幅を保った状態で、可動性のある略Ｕ字状の板から成る支持板（５）の両端部にヒンジ（３）を連結する。
（ハ）支持板（５）の下部を台（６）に固定する。
（ニ）マイクロモーターの胴体部の直径が、保持部（１）が閉じて筒状となったときの内径よりも大幅に小さくなったときには保持補助具（８）を用いる。保持補助具（８）は筒状の保持部（１）の内径を小さくするために用い、保持部（１）に接している面は保持部内面の湾曲に一致させる。保持部（１）に係合孔（４）を、保持補助具（８）には係合突起（９）を設け、嵌合させて固定する。保持補助具（８）を保持部（１）の内面に装着することで内径は約３０％減少する。
本発明は以上の構成よりなっている。
本発明を使用するときはマイクロモーター（１０）をスタンドに置くときは、開口した保持部（１）を通し、ヒンジ（３）を下方へ押す。するとヒンジ（３）は、支持板（５）を押し広げながらヒンジ（２ａ）とヒンジ（２ｂ）よりも下方に位置し、保持部（１）は閉じた状態となりマイクロモーター（１０）を保持する。マイクロモーター（１０）をスタンドから取り上げるときは、まず、マイクロモーター（１０）を持ち上げていく。すると、マイクロモーター（１０）が保持部（１）の上端部を押し広げ、ヒンジ（３）は上方へ向い、ヒンジ（２ａ）とヒンジ（２ｂ）よりも上方に位置すると保持部（１）は開いた状態となる。
【図面の簡単な説明】
【０００７】
【図１】本発明の斜視図
【図２】本発明の断面図
【図３】本発明の使用状態を示す斜視図
【図４】本発明の使用状態を示す断面図
【符号の説明】
【０００８】  １  保持部
２  ヒンジ
３  ヒンジ
４  係合孔
５  支持板
６  台
７  固定ネジ
８  保持補助具
９  係合突起
１０  マイクロモーター
【図１】
2009247863.tif 000003
【図２】
2009247863.tif 000004
【図３】
2009247863.tif 000005
【図４】
2009247863.tif 000006
(57)【要約】【課題】  本発明は、仰向けで両膝を曲げて寝そべった状態で骨盤の挙上運動をする時に、両足の膝下を器具で支えることで挙上運動の足への負担を軽減することができ、長時間かつ効果的にお尻の筋肉を鍛えることができる構造で、その機構を簡素化かつ軽量化した運動器具を提供する。【解決手段】  基盤となる四角形の板の一方の両端部に連結器具を設け、足およびふくらはぎを乗せる座椅子型の足乗せ台を連結して連結部分を軸に前後への回転が可能なものとした。また、基盤板の他方の両端部には運動時に器具が動かないように使用者が器具を支えるための持ち手を取り付ける構造とした。【選択図】図１
2009247839.tif 000002
【特許請求の範囲】
【請求項１】
基盤となる四角形の板の一方の両端部には連結器具を設け、足およびふくらはぎを乗せる座椅子型の足乗せ台を連結して連結部分を軸に前後への回転が可能なものとし、基盤の板の他方の両端部には運動時に器具が動かないように使用者が器具を支えるための持ち手を取り付けた運動器具。
【発明の詳細な説明】
【技術分野】
【０００１】  本発明は、仰向けで両膝を曲げて寝そべった状態で骨盤の挙上運動をする時に、膝下を器具で支えることで腿の前面の筋肉つまり大腿四頭筋およびふくらはぎの筋肉への負担を軽減し、お尻の筋肉つまり大殿筋を有効に鍛える構造で、かつ、その機構を簡素化かつ軽量化して手軽に骨盤の挙上運動を行えるようにした運動器具に関するものである。
【背景技術】
【０００２】  従来、仰向けで両膝を曲げて寝そべった状態で骨盤の挙上運動をする時は器具を用いずに行っていた。
【発明の開示】
【発明が解決しようとする課題】
【０００３】  そのため、次のような問題点があった。
イ）お尻の筋肉を鍛えるために行うものであるが、お尻の筋肉に疲労感が出る前に、ふ      くらはぎや腿の筋肉が疲れ、運動を長時間続けられなかった。
本発明は、以上の問題点を解決したものである。
【課題を解決するための手段】
【０００４】  本発明においては、基盤となる四角形の板の一方の両端部に連結器具を設け、足およびふくらはぎを乗せる座椅子型の足乗せ台を連結して連結部分を軸に前後への回転が可能なものとし、基盤の板の他方の両端部には運動時に器具が動かないように使用者が器具を支えるための持ち手を取り付ける構造とした。
以上のような構成からなる運動器具である。
【発明の効果】
【０００５】  したがって、使用者は骨盤の挙上運動時に腿の前面の筋肉およびふくらはぎの筋肉の疲労を軽減することができ、長時間かつ効果的にお尻の筋肉を鍛えることができる。また、挙上運動に伴う足の動きに合わせて足乗せ台が連結部分を軸に前後へ回転するため、余計な筋肉を使うことがない。さらに、器具をコンパクトかつ軽量化しているため、収納に便利で、手軽に使うことができる。
【発明を実施するための最良の形態】
【０００６】  以下、本発明の実施の形態について説明する。
（イ）金属で補強した四角形のプラスチック製の基盤板（１）の一方の両端部に連結器具      （２）を設ける。
（ロ）連結器具（２）に金属で補強したプラスチック製の座椅子型の足乗せ台（３）を連      結する。
（ハ）連結部分を軸に前後への回転が可能なものとする。
（ニ）基盤板の他方の両端部には持ち手（４）を設ける。
本発明は、以上のような構成からなる運動器具である。以下、使用方法について説明する。
床に器具を置き、使用者は仰向けに寝そべった状態で両足の膝下を器具の足乗せ台（３）に乗せ、両手で持ち手（４）をしっかりと握る。骨盤の挙上運動を繰り返す。
【図面の簡単な説明】
【０００７】
【図１】本発明の使用説明図
【図２】本発明の斜視図
【符号の説明】
【０００８】  １は基盤板
２は連結器具
３は足乗せ台
４は持ち手
【図１】
2009247839.tif 000003
【図２】
2009247839.tif 000004
(57)【要約】【課題】  従来の男性用尿とりパッドは、陰茎がパッドから外れないように如何に包むか、如何に排尿を外部に漏らさないか、その工夫が主流で、そのため構造が複雑化し、その取り扱い方法にも手間と時間が要求されることとなった。そこで簡単な構造で、簡便な装着や脱却の可能なおむつの交換機能が望まれる。【解決手段】  男性用尿とりパッドの被覆シートと吸収部の両方に、直接貫通する溝を設けて、陰茎をパッドの下部、即ち外側から挿入し、パッドを折り返すだけで、装着と脱却の簡便化を図り、消臭と硬化手段で尿臭や汚染を減らしておむつ交換の作業効率を上げ、円滑にする溝付き尿とりパッドを提供する。【選択図】図３
2009247842.tif 000002
【特許請求の範囲】
【請求項１】
男子用の尿とりパッドの被覆シートと吸収部の両方に、直接貫通する溝を設けた構造にし、溝の下部から陰茎を挿入する操作で、装着や脱却の簡便さを高めることを特徴とする溝付き尿とりパッド。
【請求項２】
排尿には強い刺激があり、尿臭をとるための消臭手段を設ける［請求項１］の溝付き尿とりパッド。
【請求項３】
尿漏れをパッド吸収部と硬化手段で防止し、取り扱いを容易にする［請求項２］の溝付き尿とりパッド。
【発明の詳細な説明】
【技術分野】
【０００１】  本発明は、溝を施して、男性用尿とりパッドの装着や脱却を簡便にした溝付き尿とりパッドに関する。
【背景技術】
【０００２】  従来の男性用尿とりパッドは、陰茎が固定されない筒状もの、陰茎が固定されている袋状やパンツ型などがあるが、前者は体動により陰茎やパッドの外れ、後者は固定するための構造が複雑となりコスト高、装着や脱却方法に手間がかかり、おむつ交換に時間を費やし負担がある。【０００３】  パッドなどで陰茎を固定しなれけば、体動で尿漏れの可能性があり、【０００４】  陰茎をベルトやパンツで固定すれば構造が複雑となり、陰茎を挿入する角度や方法にも患者の苦痛を生み、皮膚障害を作る原因となる。
（例えば、特許文献１参照）【０００５】  そのため構造を複雑にし陰茎を包めば高価となり、装着や脱却に手間がかかり、ケアする者の負担が大きくなる。（例えば、特許文献２参照）【０００６】  尿漏れは寝衣や下着汚染、シーツや布団への汚染となり、尿臭で患者やケアする者に不快感、不衛生を引き起こし嫌悪の原因となる。【０００７】
【特許文献１】  特開第２００７−０６８６４１号
【特許文献２】  特表第２００５−５３４３６２号
【発明の開示】
【発明が解決しようとする課題】
【０００８】  以上述べた従来の尿パッドでは、装着や脱却に手間がかかり、ケアする者の負担が大きく、おむつ交換に不利がある。【０００９】  本発明は、このような従来の構成が有していた問題を解決しようとするものであり、尿とりパッドの簡単な装着や脱却を容易にし、ケアの便利性を可能にするパッドを実現するものである。
【課題を解決するための手段】
【０００１０】  そして本発明は、上記目的を達成するために、尿とりパッドの被覆シートと吸収部の両方に、直接貫通する細い溝を設ける構造とし。【０００１１】  陰茎だけを上記記載の溝に下部、即ち外側からパッドと平行に挿入する。【０００１２】  被覆シートと吸収部の両方を同時に二つ折りにしてポケット状態にし、硬化手段で尿漏れを防ぐ。【０００１３】  尿とりパッド内部の消臭手段で尿臭をやわらげ不快を防止する。
【発明の効果】
【０００１４】  本実施形態によれば、尿とりパッドの被覆シートと吸収部の両方に直接貫通する溝を設けるため、陰茎を強圧せず装着でき外れ防止が可能となる。【０００１５】  パッドを二つ折りにして吸収部全体をポケット状にして陰茎を包みこみ、硬化手段で排尿による寝衣やシーツ、布団などの汚染防止をする。【０００１６】  上記溝によりおむつ交換の負担が軽減し、おむつ交換の能率向上と、おむつ再利用の可能となる。【０００１７】  パッド内の消臭手段で尿臭をやわらげ爽快感を増し、患者の安心感や医療従事者の看護ケアの向上となる。
【発明を実施するための最良の形態】
【００１８】  以下、本発明の実施の形態を図１〜図３に基づいて説明する。【００１９】  パッド被覆シート７と吸収部１の両方に直接貫通する細い溝２を構成する。【００２０】  上記溝の下部、即ち外側の被覆シートから陰茎３を挿入する。【００２１】  尿取りパッドを二つ折りにしポケット状にする。このとき陰茎のみ包み込んで、陰嚢６は包み込まない機能構造を提供する。【００２２】  パッドに硬化手段４と消臭手段５を設ける。
【産業上の利用可能性】
【００２３】  上述本発明の溝付き尿とりパッドは、高齢化社会に向かって益々利用価値が高く、おむつ再利用など利便性の高い性能を発揮し経済的効果が増大する。
【図面の簡単な説明】
【００２４】
【図１】  本発明の平面図
【図２】  平坦な形で陰茎挿入図を示す
【図３】  実施形態を示す陰茎挿入の断面図
【符号の説明】
【００２５】  １  吸収部
２  溝
３  陰茎
４  硬化部
５  消臭部
６  陰嚢
７  被覆シート
８  接合部
【図１】
2009247842.tif 000003
【図２】
2009247842.tif 000004
【図３】
2009247842.tif 000005
(57)【要約】      （修正有）【課題】ランドセルは毎日何度も開閉するものであるため、傷んだ蓋部の交換可能とする。また、さまざまな色のランドセルを使用可能とする。【解決手段】ランドセルの背当て上部に取り付けた留め具を介してランドセルの蓋部２を着脱自在に取り付けた。【選択図】図１
2009247843.tif 000002
【特許請求の範囲】
【請求項１】
ランドセルの背当て上部に取り付けた留め具を介してランドセルの蓋部を着脱自在に取り付けたことを特徴とするランドセル。
【発明の詳細な説明】
【技術分野】
【０００１】  本発明はランドセルの背当ての上部に取り付けた留め具を介して蓋部を着脱自在にしたことを特徴とするランドセルに関するものである。
【背景技術】
【０００２】  従来ランドセルは小学校入学時に購入したものを卒業までの６年間使用していた。
【発明の開示】
【発明が解決しようとする課題】
【０００３】  そのために、次のような問題があった。
（イ）子供が毎日何度も開閉するものであるため、特に蓋部の傷みは避けられなかった。
（ロ）蓋部にシールを貼ったり、ペンで落書きをしてしまったとしても、多くの場合、その状態のまま卒業するまでそのランドセルを使用せざるを得なかった。
（ハ）近年さまざまな色のランドセルが市販されるようになり「色の選択肢」が増えたが、購入者はそのうちの一色を６年間使い続けることになり、個人が日常的にさまざまな色のランドセルを使用できるわけではなかった。
本発明は以上の問題点を解決しようとするものである。
【課題を解決するための手段】
【０００４】  ランドセルの背当て上部に取り付けた留め具を介してランドセルの蓋部を着脱自在に取り付ける。
実際に使用する場合はランドセルの蓋部分をランドセル本体から分離し、両者は留め具を使用して接続したり外したりすることによって蓋部が交換可能となる。以上を特徴とするランドセルである。
【発明の効果】
【０００５】  本発明は、毎日の蓋の開閉、あるいはシールの添付や落書きによって傷んだり、汚れてしまった蓋部を部分的に交換することによって卒業まできれいな状態を維持することを可能にする。
また、季節・その日の気分・洋服とのコーディネートでかばんを選ぶように、蓋部の色や柄を変えることで簡単に「自分だけ」のランドセルに変えることが可能になる。さらには、例えばランドセル本体の色をヌメ皮色のようなシンプルなものにすれば、今まで男女の兄弟間で「お下がり」ができなかった場合でも蓋部のみの買い替えでランドセル本体は使用することができる。
【発明を実施するための最良の形態】
【０００６】  以下、本発明の実施の形態を説明する。
（イ）ランドセルの本体から蓋部を分離する。
（ロ）本体の背当て上部ならびに蓋部に留め具を取り付け、添付の図ではスナップボタンを使用した例を記したものであるが、留め具はスナップボタンに限定されるものではなく、面テープ、ホック等も使用できる。
【図面の簡単な説明】
【０００７】
【図１】本発明の正面図
【符号の説明】
【０００８】  １      ランドセル本体
２      ランドセル蓋部
３      スナップボタン
【図１】
2009247843.tif 000003
(57)【要約】【課題】  本発明は、花を飾るとき剣山やスポンヂを使用せずに、花を簡単に固定できるように、球体、または、半球体の外壁となる部分に厚みを持たせ、内部を空洞にし、天井部分には、底辺中心に向けた角度の孔を多数設けることで、花を固定できるように工夫した剣山と花瓶を一体化させた花瓶を提供する。【解決手段】  球体、または、半球体の外壁となる部分に厚みを持たせ内部を空洞にし、天井部分には、底辺中心に向けた角度の孔を多数設けることで花を固定させることを可能にした剣山と花瓶を一体化させた花瓶。【選択図】図１
2009247848.tif 000002
【特許請求の範囲】
【請求項１】
球体、または、半球体の外壁となる部分に厚みを持たせ内部を空洞にし、天井部分には、底辺中心に向けた角度の孔を多数設けることで花を固定させることを可能にした剣山と花瓶を一体化させた花瓶。
【発明の詳細な説明】
【技術分野】
【０００１】  本発明は、花を飾るとき剣山やスポンヂを使用せずに、花を簡単に固定できるように、球体、または、半球体の外壁となる部分に厚みを持たせ、内部を空洞にし、天井部分には、底辺中心に向けた角度の孔を多数設けることで、花を固定できるように工夫した剣山と花瓶を一体化させた花瓶に関するものである。
【背景技術】
【０００２】  従来、花を飾る場合、花瓶の口に花を入れる方法の飾り方と、剣山、スポンヂに差し込み、花を固定させる方法の飾り方があった。
【発明の開示】
【発明が解決しようとする課題】
【０００３】  そのために、次のような問題点があった。
（イ）剣山を使用する場合は、花を固定するために力が必要であった。
また、角度をつける場合は、技術も必要であった。
（ロ）スポンヂを使用する場合は、使用できる回数も少なくゴミとなり不経済であった。
本発明は以上の問題点を解決しようとするものである。
【課題を解決するための手段】
【０００４】  球体、または、半球体の外壁となる部分に厚みを持たせ内部を空洞にし、天井部分には、底辺中心に向けた角度の孔を多数設けることで花を固定させることを可能にした。
以上を特徴とする剣山と花瓶を一体化させた花瓶である。
【発明の効果】
【０００５】  本発明は、花を簡単に飾るために、剣山、スポンヂを必要とせず、経済的である。
剣山の針で、怪我をすることもなく、安全である。
【発明を実施するための最良の形態】
【０００６】  以下、本発明の実施の形態について説明する。
（イ）球体、または、半球体の外壁（２）に厚みを持った本体（１）を設ける。
（ロ）天井（３）から、底の中心部（４）に向けて角度を持った孔（５）を複数個設ける。
本発明は以上の構成よりなっている。
本発明を使用するときは、孔（５）より下部に水を入れる。
花を適当な長さに切り孔（５）に差し込む。
花は外壁（２）の厚みと孔（５）の角度によって固定される。
この結果、花を簡単に飾ることが可能となる。
【図面の簡単な説明】
【０００７】
【図１】  本発明の斜視図である。
【図２】  本発明の断面図である。
【図３】  本発明の使用状態を示した斜視図である。
【符号の説明】
【０００８】１  本体
２  外壁
３  天井
４  底の中心部
５  孔
【図１】
2009247848.tif 000003
【図２】
2009247848.tif 000004
【図３】
2009247848.tif 000005
(57)【要約】【課題】運動時でもずれることなく装着感よく効果的に日焼けを防止するマスクの製作。【解決手段】図１の様に、所定の型紙から形成された２枚の部分により、スリットになった形状から呼吸を阻害することなく、鼻のかかる部分にギャザー（ひだ）を付ける事によって鼻への圧迫を軽減しずれ落ちない形状とした。【選択図】図１
2009247841.tif 000002
【特許請求の範囲】
【請求項１】
図４と図５の型紙から形成された２枚の部分により、スリットになった形状から呼吸を阻害することなく効果的に日焼けを防止する事を特徴とするマスク。
鼻の部分のギャザー（ひだ）によって鼻への圧迫を軽減し、鼻への引っ掛かりを良くしマスクがずれ落ちない形状とした。
【発明の詳細な説明】
【技術分野】
【０００１】  顔の日焼けを防止するためのマスクに関する技術である。
【背景技術】
【０００２】  近年の紫外線の照射量の増加に伴い登山や屋外スポーツなど野外で活動する際、日焼けを防止しようとする動きが盛んに見られるようになってきた。【０００３】炎天下野外で活動すると特に頬骨と鼻の頭が日焼けしやすい。サングラスを装着しているとサングラスのあとが残ってしまったりした。【０００４】  顔の日焼けを予防するためにタオルやバンダナなどを巻いたり縛ったりして使用している方が多くみられた。タオルやバンダナを使用した場合、うまく固定出来なかったり鼻を圧迫して呼吸を阻害したりした。
【発明の開示】
【発明が解決しようとする課題】
【０００５】  運動時でも装着感よく効果的に顔の日焼けを防止するマスクの製作。
【課題を解決するための手段】
【０００７】    スリットになった形状から呼吸を阻害することなく効果的に日焼けを防止するための特徴とするマスク。
鼻の部分のギャザー（ひだ）によって鼻への圧迫を軽減し、鼻への引っ掛かりを良くしマスクがずれ落ちない形状とした。
【発明の効果】
【０００８】  本考案の効果は装着感よく効果的に日焼けを防止することに成功した。
【発明を実施するための最良の形態】
【０００９】  表面にＵＶカット生地もしくはＵＶカット加工を施した生地を使用することによって紫外線の照射をよりよく防ぐことができる。
【実施例１】
【００１０】  ＵＶカット加工を施した生地で作製したもののほうが、非加工の生地で作製したものより、より効果的であった。（非加工品では日焼けが認められた。）
【図面の簡単な説明】
【００１１】
【図１】  マスクの斜視図
【図２】  装着例  側面図
【図３】  装着例  正面図
【図４】  型紙  鼻部分
【図５】  型紙  あご部分
【図６】  製作工程図
【図６−１】  鼻部分にひだを入れて仮縫いし、図６−１のように鼻部分とあご部分にバイアステープを縫い付ける。
【図６−２】  鼻部分とあご部分を図６−２のように縫い付ける。
【図６−３】  耳にかける紐を縫い付ける。
【図６−４】  外側にバイアステープを縫い付ける。
【図６−５】  耳紐を折り返して縫う。
【符号の説明】
【００１２】ａ  表生地  ＵＶカット加工されたプリント生地など。
ｂ  バイアステープ
ｃ  裏生地  ナイロン系の接着心地など。
【図１】
2009247841.tif 000003
【図２】
2009247841.tif 000004
【図３】
2009247841.tif 000005
【図４】
2009247841.tif 000006
【図５】
2009247841.tif 000007
【図６−１】
2009247841.tif 000008
【図６−２】
2009247841.tif 000009
【図６−３】
2009247841.tif 000010
【図６−４】
2009247841.tif 000011
【図６−５】
2009247841.tif 000012